(57)【要約】【課題】一台で大電流の測定と狭い場所での測定とに対応することができるクランプテスタを提供する。【解決手段】環状に形成し、一部が開閉して被測定導体Ｌをクランプする第一センサ部１２と、第一センサ部１２を備えたクランプテスタ本体１１と、第一センサ部１２より小さい略二股状に形成し、この略二股状の間で被測定導体Ｌを受け入れる第二センサ部２２と、第二センサ部２２とクランプテスタ本体１１とを接続するリード線２と、第二センサ部２２を収容するためにクランプテスタ１１に形成した収容部と、からクランプテスタ１を構成する。【選択図】図１
2014153107.tif 000002
【特許請求の範囲】
【請求項１】
環状に形成され、一部が開閉して被測定導体をクランプする第一センサ部と、
この第一センサ部が備えられたクランプテスタ本体と、
前記第一センサ部より小さい略二股状に形成され、この略二股状の間に被測定導体を受け入れる第二センサ部と、
この第二センサ部と前記クランプテスタ本体とを接続するリード線と、
から構成された、
ことを特徴とするクランプテスタ。
【請求項２】
前記クランプテスタ本体に、前記第二センサ部が収容される収容部が形成された、
ことを特徴とする請求項１に記載のクランプテスタ。
【請求項３】
前記収容部が、
前記クランプテスタ本体の背面に形成され、前記背面に沿わせた前記第二センサ部の周囲を前記背面に沿って囲い込む保持片と、
この保持片に形成され、この保持片を介して前記第二センサ部の周囲に前記リード線が巻きつけられて収容される巻き付け溝と、
から構成された、
ことを特徴とする請求項２に記載のクランプテスタ。
【請求項４】
前記リード線が、前記保持片を介して前記第二センサ部の周囲を少なくとも二周できる長さである、
ことを特徴とする請求項３に記載のクランプテスタ。
【請求項５】
前記保持片に、前記収容部に収容された前記第二センサ部に係止する係止片が形成された、
ことを特徴とする請求項３また請求項４に記載のクランプテスタ。
【請求項６】
前記クランプテスタ本体に、
前記第一センサ部を機能させるか、または前記第一センサ部と共に前記第二センサ部を機能させるかを選択するための機能キーと、
前記第一センサ部による測定結果、または前記第一センサ部および前記第二センサ部による測定結果、のいずれかが表示される表示部と、
が備えられた、
ことを特徴とする請求項１から請求項５のいずれか１項に記載のクランプテスタ。
【発明の詳細な説明】
【技術分野】
【０００１】
本発明は、電流などを測定するために用いられるクランプテスタに関するものである。
【背景技術】
【０００２】
従来のクランプテスタを図７に示す。クランプ式測定器７０は、本体７１に、略円弧状の一対のクランプアーム７２、このクランプアーム７２を開閉するための開閉用レバー７３が備えられている。クランプ式測定器７０によれば、開閉用レバー７３が押し込まれることでクランプアーム７２が左右に開き、クランプアーム７２に被測定導体Ｌが受け入れられてその電流などが検出される（特許文献１参照）。
【０００３】
従来の他のクランプテスタを図８に示す。非接触式電流測定器８０は、一対の測定導体誘導部８１から略Ｕ字状に形成されたセンサ部８２が備えられている。非接触式電流測定器８０によれば、センサ部８２が開閉しないオープン式であり、測定導体誘導部８１間に形成された測定導体誘導路８３を通して被測定導体Ｌが受け入れられてその電流などが検出される（特許文献２参照）。非接触式電流測定器８０は、センサ部８２が開閉しないため小型化が可能である。
【先行技術文献】
【特許文献】
【０００４】
【特許文献１】特開２０１２−１１２７４７号公報
【特許文献２】特開２００２−５９６７号公報
【発明の概要】
【発明が解決しようとする課題】
【０００５】
しかし、上記した特許文献１に記載のクランプ式測定器７０によれば、被測定導体Ｌを受け入れる際クランプアーム７２が左右に開くため、測定することができる場所が限られる。すなわち、配電盤内などの狭い場所では被測定導体Ｌが輻輳し、被測定導体Ｌから壁面Ｗまでの奥行や被測定導体Ｌ同士の間隔が狭いため、被測定導体Ｌをクランプする際に隣接する被測定導体Ｌにクランプアーム７２が接触する（図７参照）。したがって、クランプアーム７２の開閉が困難となり、被測定導体Ｌの電流などを測定することができない場合がある。
【０００６】
また、上記した特許文献２に記載の非接触式電流測定器８０によれば、センサ部８２が開閉しないオープン式であるため小型化が可能であり、狭い場所でも測定することができるが、測定できる電流の範囲が狭い。すなわち、センサ部８２の口径と最大測定電流値とが比例関係にあるため、小型化に伴って最大測定電流値の上限が低くなり大電流を測定することができない。
【０００７】
本発明は、上記の実情に鑑みて提案されたものである。すなわち、一台で、大電流の測定と狭い場所での測定とに対応することができるクランプテスタの提供を目的とする。
【課題を解決するための手段】
【０００８】
上記の目的を達成するために、本発明に係るクランプテスタは、環状に形成され、一部が開閉して被測定導体をクランプする第一センサ部と、この第一センサ部が備えられたクランプテスタ本体と、前記第一センサ部より小さい略二股状に形成され、この略二股状の間に被測定導体を受け入れる第二センサ部と、この第二センサ部と前記クランプテスタ本体とを接続するリード線と、から構成された、ことを特徴としている。
【０００９】
本発明に係るクランプテスタは、前記クランプテスタ本体に、前記第二センサ部が収容される収容部が形成された、ことを特徴としている。
【００１０】
本発明に係るクランプテスタは、前記収容部が、前記クランプテスタ本体の背面に形成され、前記背面に沿わせた前記第二センサ部の周囲を前記背面に沿って囲い込む保持片と、この保持片に形成され、この保持片を介して前記第二センサ部の周囲に前記リード線が巻きつけられて収容される巻き付け溝と、から構成された、ことを特徴としている。
【００１１】
本発明に係るクランプテスタは、前記リード線が、前記保持片を介して前記第二センサ部の周囲を少なくとも二周できる長さである、ことを特徴としている。
【００１２】
本発明に係るクランプテスタは、前記保持片に、前記収容部に収容された前記第二センサ部に係止する係止片が形成された、ことを特徴としている。
【００１３】
本発明に係るクランプテスタは、前記クランプテスタ本体に、前記第一センサ部を機能させるか、または前記第一センサ部と共に前記第二センサ部を機能させるかを選択するための機能キーと、前記第一センサ部による測定結果、または前記第一センサ部および前記第二センサ部による測定結果、のいずれかが表示される表示部と、が備えられた、ことを特徴としている。
【発明の効果】
【００１４】
本発明に係るクランプテスタは、上記した構成である。この構成により、大電流の検出には口径が大きい第一センサ部が用いられ、一方、第一センサ部でクランプすることができない狭い場所では、第一センサ部より小さい第二センサ部が用いられる。したがって、一台で、大電流の測定と狭い場所での測定とに対応することができる。
【００１５】
本発明に係るクランプテスタは、クランプテスタ本体に、第二センサ部が収容される収容部が形成されている。したがって、嵩張らず携行に適している。
【００１６】
本発明に係るクランプテスタは、収容部が、クランプテスタ本体の背面に形成され、背面に沿わせた第二センサ部の周囲を背面に沿って囲い込む保持片と、この保持片に形成され、この保持片を介して第二センサ部の周囲にリード線が巻きつけられて収容される巻き付け溝と、から構成されている。この構成により、第二センサ部およびリード線が収容部に適切に収容される。したがって、収容された第二センサ部およびリード線が第一センサの使用時の妨げとならず、操作性が優れている。
【００１７】
本発明に係るクランプテスタは、リード線が、保持片を介して第二センサ部の周囲を少なくとも二周できる長さである。この構成により、リード線の長さが適当になる。したがって、離れた二つの被測定導体を第一センサ部と第二センサ部とで測定することができる。
【００１８】
本発明に係るクランプテスタは、保持片に、収容部に収容された第二センサ部に係止する係止片が形成されている。この構成により、第二センサ部がクランプテスタ本体に収容された状態が堅牢となる。したがって、不本意に第二センサ部が外れず、操作性が優れている。
【００１９】
本発明に係るクランプテスタは、クランプテスタ本体に、第一センサ部を機能させるか、または第一センサ部と共に第二センサ部を機能させるかを選択するための機能キーと、第一センサ部による測定結果、または第一センサ部および第二センサ部による測定結果、のいずれかが表示される表示部と、が備えられている。この構成により、第一センサ部と共に第二センサ部が機能し、第二センサ部による測定結果が第一センサ部による測定結果と共に表示部に表示される。したがって、同時に二つの被測定導体を測定することができ、同時に二つの測定結果を表示して比較することができる。
【図面の簡単な説明】
【００２０】
【図１】本発明の実施形態に係るクランプテスタの外観を示す外観図である。
【図２】クランプテスタ本体の外観を示す図であり、（ａ）が背面から視した背面外観図、（ｂ）が底面から視した底面外観図である。
【図３】本発明の実施形態に係るクランプテスタの外観を示し、（ａ）が背面から視した背面外観図、（ｂ）が底面から視した底面外観図である。
【図４】本発明の実施形態に係るクランプテスタの外観を示し、（ａ）が背面から視した斜視外観図、（ｂ）が側面から視した側面外観図である。
【図５】本発明の実施形態に係るクランプテスタの使用例の概略を示し、（ａ）が第一センサ部を用いて被測定導体を測定する際の概略図、（ｂ）が第二センサ部を用いて被測定導体を測定する際の概略図、（ｃ）が第一センサ部と第二センサ部とを併用して被測定導体を同極性で測定する際の概略図、および（ｄ）が第一センサ部と第二センサ部とを併用して被測定導体を異極性で測定する際の概略図である。
【図６】本発明の実施形態に係るクランプテスタの回路構成を表すブロック図である。
【図７】従来のクランプテスタを示す図である。
【図８】従来の他のクランプテスタを示す図である。
【発明を実施するための形態】
【００２１】
以下に、本発明の実施形態を図面に基づいて説明する。図１は本実施形態に係るクランプテスタ１が示されており、図２、図３および図４は主にクランプテスタ本体１１の背面側が示されている。
【００２２】
図１において、クランプテスタ１は、第一検出器１０、第二検出器２０、これらを連結するリード線２、から構成されている。第一検出器１０は、クランプテスタ本体１１、クランプテスタ本体１１に備えられた第一センサ部１２、から構成され、一方、第二検出器２０は、第二センサ本体２１、第二センサ本体２１に備えられた第二センサ部２２、から構成されている。
【００２３】
クランプテスタ本体１１は、片手で把持された手のひらに収まる大きさに形成され、長手である。クランプテスタ本体１１は、正面側にファンクション切替スイッチ３、機能キー４、表示部５、および端子６が備えられ、側面側にトリガ７が備えられ、先端側に第一センサ部１２が備えられ、背面側に電池供給部（電池蓋１３）と収容部３０とが形成され（図２参照）、電池蓋供給部の内部にリード線２の一端が電池蓋１３の下端を通じて接続されている（図示せず）。
【００２４】
ファンクション切替スイッチ３はダイヤル式であり、目盛毎に設定された機能を選択する際に用いられる。ファンクション切替スイッチ３により選択される機能は、電源のオン／オフ、交流（ＡＣ）電流、直流（ＤＣ）電流、交流電圧、直流電圧、周波数、抵抗、および温度などの測定である。
【００２５】
機能キー４は、第二センサ部２２を機能させる際に用いられる「オープンセンサ測定キー」などから構成されている。オープンセンサ測定キーにより、第一センサ部１２を機能させるか、または第一センサ部１２と共に第二センサ部２２を機能させるかが選択される。第一センサ部１２および第二センサ部２２の機能は、ＡＣ電流、ＤＣ電流、周波数などの測定である。その他の測定には別途測定コード（図示せず）が用いられる。
【００２６】
表示部５は、メイン表示部５ａとサブ表示部５ｂとの二段に別れ、メイン表示部５ａに第一センサ部１２によって検出されて測定された測定結果が表示され、サブ表示部５ｂに第二センサ部２２によって検出されて測定された測定結果が表示される。表示部５は、機能キー４により第一センサ部１２のみが機能させられている場合、第一センサ部１２による測定結果のみがメイン表示部５ａに表示され、第一センサ部１２と共に第二センサ部２２が機能させられている場合、第一センサ部１２による測定結果がメイン表示部５ａに表示されると共に、第二センサ部２２による測定結果がサブ表示部５ｂに表示される。
【００２７】
端子６は、電圧や抵抗の測定に際し、これらを検出するために用いられる測定コードが取り付けられる。
【００２８】
第一センサ部１２とトリガ７とは連動する機構であり、トリガ７に連動して第一センサ部１２が開閉する。第一センサ部１２は、略半円状の固定側コア１４と、これと対称な可動側コア１５とから構成され、固定側コア１４と可動側コア１５とのそれぞれの先端同士が接触して環状に形成されている。固定側コア１４および可動側コア１５は先端同士の接点が開閉端１６であり、環状の内側が第一検出域１７である。固定側コア１４はクランプテスタ本体１１に固定され、一方、可動側コア１５は軸部８を介してトリガ７に連動する機構が構成されてクランプテスタ本体１１に取り付けられている。可動側コア１５は、トリガ７が押し込まれることにより軸部８を中心に回転し、先端が固定側コア１４の先端から離れる（二点鎖線で表された可動側コア１５ａ参照）。固定側コア１４と可動側コア１５は被測定導体Ｌの測定位置を示す第一位置決印１８が表示されている。測定の際、開放された開閉端１６から被測定導体Ｌが受け入れられてクランプされ、第一位置決印１８間に配置される。
【００２９】
第二検出器２０は、クランプテスタ本体１１の背面側に収まる大きさに形成されている（図３参照）。第二センサ本体２１は、先端側に第二センサ部２２が備えられ、後端側にリード線２の他端が接続されている。
【００３０】
第二センサ部２２は略二股状（略Ｕ字状）に形成された二股コア部２３で構成され、オープン式である。二股コア部２３の間は第二検出域２４であり、第一センサ部１２の第一検出域１７の口径よりも小さい。二股コア部２３のうち開放側が開放端２５であり、閉塞側が閉塞基部２６である。二股コア部２３は閉塞基部２６近傍に被測定導体Ｌの測定位置を示す第二位置決印２７が表示されている。測定の際、開放端２５から被測定導体Ｌが受け入れられて第二位置決印２７間に配置される。
【００３１】
図２、図３および図４において、電池供給部は、電池室（図示せず）と、これを覆う電池蓋１３とで構成されている。電池蓋１３はクランプテスタ本体１１の背面側の一部であり、ネジ９でクランプテスタ本体１１に留められている。ネジ９は、収容部３０に収容された第二検出器２０において、第二センサ部２２の第二検出域２４に配置されている（図３（ａ）参照）。電池蓋１３の下端中央にはリード線２の一端が通される引き込み通路３９が形成されている。この引き込み通路３９を通じてリード線２の一端が電池室内のコネクタ部に接続されている（図示せず）。なお、引き込み通路３９は電池蓋１３の下端右方または左方であってもよい。
【００３２】
収容部３０は背面側（電池蓋１３）に形成され、下端側中央に、電池蓋１３に形成された引き込み通路３９が配置されている。収容部３０は、背面側から突出した保持片３１と、この保持片３１に形成された巻き付け溝３６とから構成されている。保持片３１は、正面視した第二検出器２０の形状が模られている。すなわち、第二センサ部２２を第一センサ部１２の向きに揃えてクランプテスタ本体１１の背面側に沿わせた第二検出器２０の周囲が、クランプテスタ本体１１の背面側に沿って囲い込まれている。
【００３３】
保持片３１は、第二センサ部２２を囲うセンサ保持片３２、第二センサ本体２１を囲う一対の本体保持片３３、から構成されている。すなわち、保持片３１は、第二センサ部２２の閉塞基部２６の側方に対面する部分と、第二センサ本体２１の後端側に対面する部分とが、切欠き部３４が形成されたことにより開放され、この切欠き部３４によってセンサ保持片３２と、本体保持片３３とに区分されている。切欠き部３４は第二検出器２０が着脱される際に用いられ、また、リード線２の他端が収容される（図３（ａ）参照）。
【００３４】
本体保持片３３の内側には、第二検出器２０に係止して保持片３１の保持力を上げる係止片３５が形成されている。係止片３５は一対で互いに対面し、クランプテスタ本体１１の背面側から突出している。
【００３５】
巻き付け溝３６は、保持片３１の外周面３７と、保持片３１の縁から外側に張り出した鍔部３８とで形成され、保持片３１を介して第二検出器２０の周囲に巻きつけられるリード線２が収容される（図２（ｂ）、図３（ｂ）参照）。巻き付け溝３６の幅（背面側を基準とした保持片３１の高さ）は、並列に二回巻き付けられて収容されたリード線２の幅と略同一である。巻き付け溝３６の深さ（保持片３１の外周面３７を基準とした鍔部３８の長さ）は、リード線２の直径と略同一である。なお、巻き付け溝３６の幅および深さは、リード線２の巻き付け回数に応じて任意である。
【００３６】
鍔部３８は角に適当なＲ面取り加工が施されている。鍔部３８は先端縁が背面側の範囲よりも内側にあり、先端縁に向けて緩やかに傾斜している（図３（ｂ）参照）。
【００３７】
リード線２は、離れた二つの被測定導体Ｌを第一センサ部１２と第二センサ部２２とで測定することができる程度の長さである。すなわち、保持片３１を介して第二検出器２０の周囲（巻き付け溝３６）を少なくとも二周できる長さであり、例えば約６００ｍｍである。なお、リード線２の長さは、収容時に巻き付け溝３６に巻き付けることができる長さで、かつ、使用時に離れた二つの被測定導体Ｌ間に渡すことができる長さであれば任意である。また、使用時の妨げとならなければリード線２は巻き付け溝３６の深さを越えて二周以上巻き付けられていてもよい。
【００３８】
以上が本実施形態に係るクランプテスタ１である。
【００３９】
次に、本実施形態に係るクランプテスタ１の使用例を説明する。図５は、本実施形態に係るクランプテスタ１の使用例であり、通常の商用電源における配電盤内での被測定導体の負荷電流を測定する場合の概略が示されている。
【００４０】
図５（ａ）は、第一センサ部１２を用いて負荷電流を測定する場合の概略が示されている。クランプテスタ本体１１のファンクション切替スイッチ３を回してＡＣ電流の測定を選択する。この操作により第一センサ部１２の測定回路が稼働する。トリガ７を操作し、第一センサ部１２の開閉端１６を開閉する。被測定導体Ｌ１をクランプして第一位置決印１８間に合わせる。被測定導体Ｌ１に流れる電流Ｉ１が検出され、表示部５のメイン表示部５ａに電流Ｉ１の電流値が表示される。
【００４１】
図５（ｂ）は、第二センサ部２２を用いて負荷電流を測定する場合の概略が示されている。クランプテスタ本体１１のファンクション切替スイッチ３を回してＡＣ電流の測定を選択する。この操作により第一センサ部１２の測定回路が稼働する。機能キー４の「オープンセンサ測定キー」を１回押す。この操作により第二センサ部２２の測定回路がＡＣ電流測定モードで稼働する。第二検出器２０をクランプテスタ本体１１の収容部３０から取り外してリード線２をほどく。第二センサ部２２に開放端２５側から被測定導体Ｌ２を受け入れさせて第二位置決印２７間に合わせる。被測定導体Ｌ２に流れる電流Ｉ２が検出され、表示部５のサブ表示部５ｂに電流Ｉ２のＡＣ電流値が表示される。なお、第一センサ部１２が用いられていないため、メイン表示部５ａに“０”が表示される。
【００４２】
図５（ｃ）は、第一センサ部１２と第二センサ部２２とを併用して二箇所の負荷電流を同極性（いわゆるＡＣ−ＡＣ電流モード）で同時測定する場合の概略が示されている。図５（ｂ）の状態において、第一センサ部１２で被測定導体Ｌ１をクランプして第一位置決印１８間に合わせる。被測定導体Ｌ１に流れる電流Ｉ１が検出され、表示部５はメイン表示部５ａに電流Ｉ１のＡＣ電流値が表示され、サブ表示部５ｂに電流Ｉ２のＡＣ電流値が表示される。なお、第二センサ部２２を、リード線２の引き出し長さの範囲内で他の被測定導体Ｌ２からＬ４へ移動させ、各被測定導体Ｌ２からＬ４の負荷電流を比較測定することもできる。
【００４３】
図５（ｄ）は、第一センサ部１２と第二センサ部２２とを併用してＡＣ−ＤＣコンバータなどの負荷電流を異極性（いわゆるＡＣ−ＤＣ電流モード）で同時に測定する場合の概略が示されている。クランプテスタ本体１１のファンクション切替スイッチ３を回してＡＣ電流の測定を選択する。この操作により第一センサ部１２の測定回路が稼働する。機能キー４の「オープンセンサ測定キー」を２回押す。この操作により第二センサ部２２の測定回路がＤＣ電流測定モードで稼働する。上記と同様に、第一センサ部１２で被測定導体Ｌ５をクランプし、第二センサ部２２に被測定導体Ｌ６を受け入れさせる。表示部５はメイン表示部５ａに電流Ｉ３のＡＣ電流値が表示され、サブ表示部５ｂに電流Ｉ４のＤＣ電流値が表示される。
【００４４】
その他の使用例として、クランプテスタ本体１１の第一センサ部１２はＡＣ／ＤＣのいずれにも対応している。したがって、ファンクション切替スイッチ３を回してＤＣ電流の測定を選択すれば、第一センサ部１２でＤＣ電流を検出することができ、表示部５のメイン表示部５ａに被測定導体のＤＣ電流値が表示される。さらに第二センサ部２２を併用し、この第二センサ部２２の電流測定モードを選択してＡＣ／ＤＣのいずれにも対応することができ（図５（ｃ）（ｄ）参照）、表示部５のサブ表示部５ｂに、第二センサ部２２の電流測定モードの極性（ＡＣ／ＤＣ）の電流値が表示される。
【００４５】
次に、本実施形態に係るクランプテスタ１を構成する電気回路について図面に基づいて説明する。図６は、回路構成を説明するブロック図である。
【００４６】
図６において、セレクタ４０は電源スイッチやファンクション切替スイッチ３、アナログスイッチなどが含まれる。また機能キー４の要素も含めて、電源のオン／オフおよび被測定導体Ｌに応じた測定ファンクションの信号入力や動作を選択する。第一センサ部１２からの出力は第一差動増幅回路４１で増幅され、第二センサ部２２からの出力は第二差動増幅回路４２で増幅される。これらの出力はセレクタ４０を経てＡＣ信号を受ける検波回路４３と、検波回路４３で整流されたＤＣ電圧または検波回路４３を経ずにＤＣ電圧を受けるＡ／Ｄコンバータ４４より送り込まれた測定データをＣＰＵ４５へ出力する。ＣＰＵ４５は、演算処理した結果を表示部５に出力し、また、機能キー４から信号を受けてセレクタ４０の制御を行う。
【００４７】
次に、本実施形態の効果を説明する。
【００４８】
上記したように、本実施形態によれば、クランプテスタ１は、コアが開閉するいわゆるクランプ式の第一センサ部１２が備えられたクランプテスタ本体１１と、コアが開閉しないいわゆるオープン式の第二センサ部２２が備えられた第二センサ本体とが、リード線２によって接続されている。この構成により、大電流の検出には口径が大きい第一センサ部１２が備えられた第一検出器１０が用いられ、一方、第一センサ部１２でクランプすることができない狭い場所では、第一センサ部１２より口径が小さい第二センサ部２２が備えられた第二検出器２０が用いられる。したがって、一台で、大電流の測定と狭い場所での測定とに対応することができる。
【００４９】
本実施形態によれば、収容部３０が、背面側から突出した保持片３１と、この保持片３１に形成された巻き付け溝３６とから構成されている。保持片３１は、正面視した第二検出器２０の形状が模られ、第二センサ部２２を第一センサ部１２の向きに揃えてクランプテスタ本体１１の背面側に沿わせた第二検出器２０の周囲を、クランプテスタ本体１１の背面側に沿って囲い込んでいる。巻き付け溝３６は、保持片３１の外周面３７と、保持片３１の縁から外側に張り出した鍔部３８とで形成され、保持片３１を介して第二検出器２０の周囲に巻きつけられるリード線２が収容される。この構成により、第二検出器２０およびリード線２が収容部３０に適切に収容される。したがって、収容された第二検出器２０およびリード線２が第一センサ部１２の使用時の妨げとならず、また、電池の交換の際、電池蓋１３を第二検出器２０ごと着脱することができ、操作性が優れている。
【００５０】
電池蓋１３を留めるネジ９は、収容部３０に収容された第二検出器２０において、第二センサ部２２の第二検出域２４に配置されている（図３（ａ）参照）。この構成により、収容部３０に第二検出器２０が収容された状態でネジ９が緩められ、または締められる。したがって、収容部３０に第二検出器２０が収容されたまま電池蓋１３を開閉し、電池の交換ができる。
【００５１】
リード線２の一端が通される引き込み通路３９は、電池蓋１３の下端中央に形成され、収容部３０の下端側中央に配置されている。この構成により、引き込み通路３９を始点とした巻き付け溝３６の周回距離が、収容部３０を中心として右回り、左回りとも同じとなる。したがって、リード線２を右回り、左回りのいずれの方向にも巻き付け溝３６に適切に巻きつけることができる。
【００５２】
保持片３１は、第二センサ部２２の閉塞基部２６の側方に対面する部分と、第二センサ本体２１の後端側に対面する部分とが、切欠き部３４が形成されたことにより開放され、この切欠き部３４によってセンサ保持片３２と、本体保持片３３とに区分されている。したがって、第二検出器２０を着脱しやすい。
【００５３】
巻き付け溝３６の幅（背面側を基準とした保持片３１の高さ）は、並列に二回巻き付けられて収容されたリード線２の幅と略同一である。巻き付け溝３６の深さ（保持片３１の外周面３７を基準とした鍔部３８の長さ）は、リード線２の直径と略同一である。鍔部３８は先端縁が背面側の範囲よりも内側にあり、先端縁に向けて緩やかに傾斜している。この構成により、クランプテスタ本体１１の厚みが抑えられつつ、片手で把持される大きさが維持される。したがって、操作性が優れている。
【００５４】
鍔部３８は角に適当なＲ面取り加工が施されている。したがって、強度が維持されつつデザイン性が優れている。
【００５５】
本実施形態によれば、本体保持片３３の内側には、第二検出器２０に係止して保持片３１の保持力を上げる係止片３５が形成されている。係止片３５は一対で互いに対面し、クランプテスタ本体１１の背面側から突出している。この構成により、第二検出器２０がクランプテスタ本体１１の収容部３０に収容された状態が堅牢となる。したがって、不本意に第二検出器２０が外れず、操作性が優れている。
【００５６】
本実施形態によれば、リード線２は、保持片３１を介して第二検出器２０の周囲（巻き付け溝３６）を少なくとも二周できる長さである。この構成により、リード線２の長さが適当になる。したがって、離れた二つの被測定導体Ｌを第一センサ部１２と第二センサ部２２とで測定することができる。
【００５７】
本実施形態によれば、機能キー４であるオープンセンサ測定キーにより、第一センサ部１２を機能させるか、または第一センサ部１２と共に第二センサ部２２を機能させるかが選択される。表示部５は、メイン表示部５ａとサブ表示部５ｂとの二段に別れ、メイン表示部５ａに第一センサ部１２によって検出されて測定された測定結果が表示され、サブ表示部５ｂに第二センサ部２２によって検出されて測定された測定結果が表示される。この構成により、第一センサ部１２と共に第二センサ部２２が機能し、第二センサ部２２による測定結果が第一センサ部１２による測定結果と共に表示部５に表示される。したがって、同時に二つの被測定導体Ｌを測定することができ、同時に二つの測定結果を表示して比較することができる。
【００５８】
また、クランプテスタ１によれば、ＡＣ電流、ＤＣ電流、ＡＣ電圧、ＤＣ電圧、周波数、抵抗、および温度などが測定される。したがって、一台で様々な測定に対応することができる。
【００５９】
また、第一センサ部１２と第二センサ部２２とは、それぞれＡＣ／ＤＣの極性が任意に選択される。したがって、ＡＣ−ＤＣコンバータなどの異極性の入出力電流を測定することができる。
【００６０】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６１】
１                クランプテスタ
２                リード線
３                ファンクション切替スイッチ
４                機能キー
５                表示部
５ａ              メイン表示部
５ｂ              サブ表示部
６                端子
７                トリガ
８                軸部
９                ネジ
１０              第一検出器
１１              クランプテスタ本体
１２              第一センサ部
１３              電池蓋
１４              固定側コア
１５、１５ａ      可動側コア
１６              開閉端
１７              第一検出域
１８              第一位置決印
２０              第二検出器
２１              第二センサ本体
２２              第二センサ部
２３              二股コア部
２４              第二検出域
２５              開放端
２６              閉塞基部
２７              第二位置決印
３０              収容部
３１              保持片
３２              センサ保持片
３３              本体保持片
３４              切欠き部
３５              係止片
３６              巻き付け溝
３７              外周面
３８              鍔部
３９              引き込み通路
４０              セレクタ
４１              第一差動増幅回路
４２              第二差動増幅回路
４３              検波回路
４４              Ａ／Ｄコンバータ
４５              ＣＰＵ
７０              クランプ式測定器
７１              本体
７２              クランプアーム
７３              開閉用レバー
８０              非接触式電流測定器
８１              測定導体誘導部
８２              センサ部
８３              測定導体誘導路
Ｉ１〜Ｉ４          電流
Ｌ、Ｌ１〜Ｌ６      被測定導体
Ｗ                壁面
【図１】
2014153107.tif 000003
【図２】
2014153107.tif 000004
【図３】
2014153107.tif 000005
【図４】
2014153107.tif 000006
【図５】
2014153107.tif 000007
【図６】
2014153107.tif 000008
【図７】
2014153107.tif 000009
【図８】
2014153107.tif 000010